(57)【要約】【課題】  デザインを施し易く、また流し台の合成樹脂材製のカウンターと違和感なく接続できるだけではなく、調理器具等との衝突音を軽減でき、更には高温の鍋等を支障なく置くことができるようにする。【解決手段】  周側面部１を合成樹脂材で形成し、底面部２を金属材で形成する。この場合本発明は、底面部２の周囲を立ち上げ、この立ち上げ部２ｂを周側面部１に埋没させて底面部２と周側面部１とを一体状に形成するのが好ましい。また本発明は、立ち上げ部２ｂに、合成樹脂材の浸入用の孔４を貫通状に複数形成したり、立ち上げ部２ｂの上端に返し２ｃを形成するのが好ましい。【選択図】      図１
2010024680.tif 000002
【特許請求の範囲】
【請求項１】
上面が開口され、周側面部と底面部とで容器状に形成されているシンクであって、上記の周側面部が合成樹脂材で形成され、上記の底面部が金属材で形成されていることを特徴とするシンク。
【請求項２】
請求項１記載のシンクであって、底面部の周囲が立ち上げられ、この立ち上げ部が周側面部に埋没されて底面部と周側面部とが一体状に形成されていることを特徴とするシンク。
【請求項３】
請求項２記載のシンクであって、立ち上げ部に、合成樹脂材の浸入用の孔が貫通状に複数形成されていることを特徴とするシンク。
【請求項４】
請求項２又は３記載のシンクであって、立ち上げ部の上端に返しが形成されていることを特徴とするシンク。
【請求項５】
請求項２乃至４の何れかに記載のシンクであって、底面部の周囲が上向き傾斜状の傾斜面部を介して立ち上げられていることを特徴とするシンク。
【請求項６】
請求項１乃至５の何れかに記載のシンクであって、底面部の外面に面状材が貼られ、この面状材の全体がカバーで覆われていることを特徴とするシンク。
【発明の詳細な説明】
【技術分野】
【０００１】
本発明はシンクに関し、更に詳しくは周側面部と底面部の材質を違えることにより、使い勝手や意匠性等が高くなるよう形成したシンクに関するものである。
【背景技術】
【０００２】
従来、シンクは、その全体が、例えば合成樹脂材やステンレス鋼等の金属材で形成されているのが通例である（例えば特許文献１参照）。
【０００３】
ところで、合成樹脂材製のシンクは、金属材製のシンクに比べ、色や形、或いは模様等の面で多種多様なデザインを施すことができるため、意匠性に優れている、という利点がある。またこの種のシンクは、流し台のカウンターが、合成樹脂材製のときはカウンターと違和感なく連結することができる、という点でもメリットがある。
しかしながら、反面、この種のシンクは、スレンレス鋼等の金属材製のシンクに比べ、撓曲性や弾性等の点で劣るため、調理器具等との衝突音が大きくなり易く、また衝突時の衝撃で食器等を損傷させ易い、という不利益な点もある。またこの種のシンクは、金属材製のシンクに比べ、耐熱性の点で劣るのも通例である。
【特許文献１】特開２００７−９４０７号公報
【発明の開示】
【発明が解決しようとする課題】
【０００４】
本発明は、このような従来の実情に鑑み、提案されたものである。
従って本発明の解決しようとする技術的課題は、デザインを施し易く、また流し台の合成樹脂材製のカウンターと違和感なく接続できるだけではなく、調理器具等との衝突音を軽減でき、更には高温の鍋等を支障なく置くことができるよう形成したシンクを提供することにある。
【課題を解決するための手段】
【０００５】
本発明は、上記の課題を解決するため、次のような技術的手段を採る。
即ち本発明は、図１等に示されるように、上面が開口され、周側面部１と底面部２とで容器状に形成されているシンクであって、上記の周側面部１が合成樹脂材で形成され、上記の底面部２が金属材で形成されていることを特徴とする（請求項１）。
【０００６】
ここで、合成樹脂材としては、例えばメタクリル樹脂等のアクリル系樹脂がある。また金属材としては、ステンレス鋼等の耐食合金がある。
【０００７】
本発明は、上記の底面部２の周囲が立ち上げられ、この立ち上げ部２ｂが周側面部１に埋没されて底面部２と周側面部１とが一体状に形成されているのが好ましい（請求項２）。
なぜならこれによると、底面部２と周側面部１との継ぎ目に隙間ができないから、両者の接続箇所からの水漏れを防止でき、また両者を確実且つ強固に接続できるからである。
【０００８】
またこの場合本発明は、図２から図４に示されるように、立ち上げ部２ｂに、合成樹脂材の浸入用の孔４が貫通状に複数形成されているのが好ましい（請求項３）。
なぜならこれによると、合成樹脂材を孔４に食い込ませて、周側面部１と底面部２とを強固に接続できるからである。
【０００９】
また本発明は、立ち上げ部２ｂの上端に返し２ｃが形成されているのが好ましい（請求項４）。
なぜならこれによると、返し２ｃによって周側面部１と底面部２とを一層強固に接続できるからである。なお、この本発明の場合、返し２ｃの位置は、立ち上げ部２ｂの内側でも外側でも良く、また返し２ｃは、鉤形に屈曲されている場合には限られず、例えば逆J字状に下向きに返されているのでも良い。
【００１０】
また本発明は、底面部２の周囲が上向き傾斜状の傾斜面部２ａを介して立ち上げられているのが好ましい（請求項５）。
なぜならこれによると、底面部２の周囲が湾曲状に形成されている場合に比べ、周側面部１の内側の下縁を直線的に綺麗に処理し易く、従って歩留まりを向上できるからである。
【００１１】
更に本発明は、底面部２の外面に面状材５が貼られ、この面状材５の全体がカバー６で覆われているのが好ましい（請求項６）。
なぜならこれによると、底面部２に調理器具等がぶつかった時の音や衝撃を、面状材５で軽減でき、静音性や制振性を向上できるからである。
【発明の効果】
【００１２】
本発明のシンクは、このように周側面部が合成樹脂材で形成されると共に、底面部が金属材で形成されているものである。
従って本発明によれば、周側面部にデザインを施すことができ、また流し台が合成樹脂材製のカウンターの場合は違和感なく接続することができる。
また本発明は、底面部が金属材で形成されているため、金属材製のシンクの性能も兼ね備えている。従ってこれによれば、調理器具等を置いたときの耳障りな衝突音を軽減でき、食器等がぶつかっても割れ難くなり、更には耐熱性に優れたシンクを提供できるものである。
【発明を実施するための最良の形態】
【００１３】
以下、本発明を実施するための最良の形態を説明する。
本発明は、図１等に示されるように、上面が開口され、周側面部１と底面部２とで容器状に形成されているシンクである。上記の周側面部１は、例えばアクリル系の合成樹脂材で人工大理石状に形成されている。また上記の底面部２は、この実施形態ではステンレス鋼で形成されている。３は、この底面部２に形成されている排水孔である。
【００１４】
また本発明の場合、上記の底面部２の周囲は、この実施形態では上向き傾斜状の傾斜面部２ａを介して立ち上げられ、この立ち上げ部２ｂが周側面部１に埋没されて底面部２と周側面部１とが一体状に形成されている。周側面部１は、通常、金型で形成される。周側面部１と底面部２との接続は、具体的には周側面部１の成型時に、底面部２を予め金型にセットして置くことにより、インサート成型法で実現する。
【００１５】
またこの実施形態の本発明では、図２から図４に示されるように、立ち上げ部２ｂに合成樹脂材の浸入用の孔４が貫通状に複数形成されている。立ち上げ部２ｂは、底面部２の周りに壁状に連続して形成され、孔４は同じ高さで一定の間隔をあけ、丸孔状に形成されている。また立ち上げ部２ｂの上端には、返し２ｃが形成されている。この返し２ｃは、この実施形態では外側に向かって鉤形に屈曲されている。
【００１６】
更にこの実施形態の本発明は、図１に示されるように、底面部２の外面に面状材５が貼られ、この面状材５の全体がカバー６で覆われている。面状材５は、例えば弾性質のゴムシートで形成され、カバー６は接着等の手段で取り付けられている。
【００１７】
本発明品は、上記の通り、底面部２を金型にセットし、次に合成樹脂材を注型して周側面部１の成型と同時に、周側面部１と底面部２を一体状に接続して形成する。
また本発明のシンクを流し台に組み込む場合は、図１に示されるように、周側面部１の上端部の外側に段差状に形成されている接続部１ａを利用して行なう。即ち、作業者は、この接続部１ａとカウンター７とを接着し、次に周側面部１の上端面１ｂとカウンター７の上面とが面一になるよう、継ぎ目の箇所を研磨して接続する。
【００１８】
以上の処において、本発明の場合、上記の孔４は、合成樹脂材との接合状態が高まるよう、網目状に形成されたり、高さが違えられているのでも良い。
また上記の立ち上げ部２ｂは、合成樹脂材との接着性が良くなるよう、内外面に凹凸加工が施されているのでも良い。
更に本発明は、上記の底面部２にセラミックコーティング等が施こされ、周側面部１やカウンター７とカラーが合うよう形成されているのでも良い。
また本発明のシンクは、洗面ボウルへの適用も可能である。従ってここで、シンクとは、洗面ボウル等を含む容器状の槽体を意味するものである。
【図面の簡単な説明】
【００１９】
【図１】本発明のシンクの好適な一実施形態を示す縦断面図である。
【図２】底面部の斜視図である。
【図３】底面部の要部縦断面図である。
【図４】同上シンクの要部縦断面図である。
【符号の説明】
【００２０】
１      周側面部
１ａ    接続部
１ｂ    上端面
２      底面部
２ａ    傾斜面部
２ｂ    立ち上げ部
２ｃ    返し
３      排水孔
４      孔
５      面状材
６      カバー
７      カウンター
【図１】
2010024680.tif 000003
【図２】
2010024680.tif 000004
【図３】
2010024680.tif 000005
【図４】
2010024680.tif 000006